【手続補正書】
【提出日】平成17年6月8日(2005.6.8)
【手続補正１】
【補正対象書類名】明細書
【補正対象項目名】発明の名称
【補正方法】変更
【補正の内容】
【発明の名称】光学素子及び読み取り装置
【手続補正２】
【補正対象書類名】明細書
【補正対象項目名】特許請求の範囲
【補正方法】変更
【補正の内容】
【特許請求の範囲】
【請求項１】
フォトディテクタと、互いに波長の異なる光をカットする２枚のカットフィルタとにより構成された光学素子において、前記フォトディテクタに第１のカットフィルタが、未硬化時の粘度が４０００ｍＰａ・ｓ以下で、かつ硬化時の硬度がショアＡ３０以下の透明または半透明の弾性を有する接着剤を介して固定され、さらに、前記第１のカットフィルタに第２のカットフィルタが、前記接着剤を介して固定されて構成されていることを特徴とする光学素子。
【請求項２】
前記第１のカットフィルタは樹脂からなり、前記第２のカットフィルタはガラスからなることを特徴とする請求項１記載の光学素子。
【請求項３】
前記２枚のカットフィルタの内、一方のカットフィルタは赤外線をカットし、他方のカットフィルタは可視光をカットするものであることを特徴とする請求項１記載の光学素子。
【請求項４】
前記弾性を有する接着剤が、常温で硬化するシリコーン接着剤または紫外線硬化性を付与した湿気硬化型シリコーン接着剤であることを特徴とする請求項１記載の光学素子。
【請求項５】
前記２個のカットフィルタを介した場合のレーザ光の透過波長域が６３０〜６７０ｎｍであり、該透過波長域の透過率が８２％以上であることを特徴とする請求項１、２または３記載の光学素子。
【請求項６】
請求項１乃至５の何れか１項に記載の光学素子を備え照射物に照射したレーザ光の反射光を前記光学素子にて受けて前記照射物から得られる信号の読み取りを行うことを特徴とする読み取り装置。
【請求項７】
前記読み取り装置は照射物として白黒パターンの符合コードの読み取りを行うことを特徴とする請求項６記載の読み取り装置。
【手続補正３】
【補正対象書類名】明細書
【補正対象項目名】０００１
【補正方法】変更
【補正の内容】
【０００１】
【発明の属する技術分野】
本発明は、異種材料の組み合わせによる光学素子及び該光学素子を備え照射物から得られる信号の読み取りを行う読み取り装置に関する。
【手続補正４】
【補正対象書類名】明細書
【補正対象項目名】０００６
【補正方法】変更
【補正の内容】
【０００６】
本発明は、上記従来の問題点に鑑みてなされたもので、請求項１、２、３、４、または５に係る発明の課題は、歪みや剥離がなく、かつコストの低い異種材料のフィルタの組み合わせによる光学素子を提供することである。
また、請求項６、７に係る発明の課題は、上記光学素子を備えた読み取り装置を提供することである。
【手続補正５】
【補正対象書類名】明細書
【補正対象項目名】００１２
【補正方法】変更
【補正の内容】
【００１２】
請求項５に係る発明の光学素子では、上記作用に加え、２枚のカットフィルタを介した場合のレーザ光の透過波長域が６３０〜６７０ｎｍであり、該透過波長域の透過率が８２％以上であることにより、受光感度を損なうことがない。
請求項６、７に係る発明の読み取り装置では請求項１乃至５の何れか１項に記載の光学素子を備えた構成で白黒パターンの符合コードのような照射物に照射したレーザ光の反射光を前記光学素子にて受けて、前記照射物から得られる信号の受光感度の良い読み取りを行うことができる。
【手続補正６】
【補正対象書類名】明細書
【補正対象項目名】００２０
【補正方法】変更
【補正の内容】
【００２０】
本実施の形態によれば、各被着体を結合する硬化したシリコーン接着剤が、温度変化による各被着体の熱膨張係数の差による伸縮量に違いがあっても、自らが変形して各被着体の変形を緩和し、被着体の変形（歪み）による光学素子の光学特性の低下を防止することができる。また、湿気を殆ど吸収しないガラス製赤外線カットフィルタが、その厚さ方向からの湿気の侵入を抑制するため、接着剤層の吸水による膨潤で、接着力の低下や接合面の剥離が発生することはない。さらに、エポキシ樹脂からなるフォトディテクタと塩化ビニル製の可視光カットフィルタとの接合により低コストになり、接合フィルタの透過率が８２％以上を維持し、受光感度を損なうことのない光学素子を得ることができる。
また、本実施の形態によれば、レーザ光を照射物に照射し、その反射光を受けて照射物から得られる信号、例えば、白黒パターンの符合コードなどの読み取りを受光感度良く行うことができる読み取り装置を構成できる。
【手続補正７】
【補正対象書類名】明細書
【補正対象項目名】００２５
【補正方法】変更
【補正の内容】
【００２５】
本実施の形態によれば、各被着体を結合する硬化した紫外線硬化性を付与した湿気硬化型シリコーン接着剤が、温度変化による各被着体の熱膨張係数の差による伸縮量に違いがあっても、自らが変形して各被着体の変形を緩和し、被着体の変形（歪み）による光学素子の光学特性の低下を防止することができる。また、湿気を殆ど吸収しないガラス製赤外線カットフィルタが、その厚さ方向からの湿気の侵入を抑制するため、接着剤層の吸水による膨潤で、接着力の低下や接合面の剥離が発生することはない。さらに、エポキシ樹脂からなるフォトディテクタと塩化ビニル製の可視光カットフィルタとの接合により低コストになり、接合フィルタの透過率が８６％以上を維持し、実施の形態１より受光感度の高い光学素子を得ることができる。また、紫外線硬化性を付与した湿気硬化型シリコーン接着剤が、紫外線で瞬時に硬化し、接着力を発揮するため、位置ズレを起こし難く、また、つぎの作業が可能となるため時間のロスが少なく、短時間で光学素子を完成させることができる。
また、本実施の形態によれば、レーザ光を照射物に照射し、その反射光を受けて照射物から得られる信号、例えば、白黒パターンの符合コードなどの読み取りを受光感度良く行うことができる読み取り装置を構成できる。
【手続補正８】
【補正対象書類名】明細書
【補正対象項目名】００２７
【補正方法】変更
【補正の内容】
【００２７】
【発明の効果】
請求項１、２、３、４または５に係る発明によれば、歪みや剥離がなく、かつコストの低い異種材料のフィルタの組み合わせによる光学素子を提供することができる。
請求項２または５に係る発明によれば、上記効果に加え、第２のカットフィルタが、樹脂製の第１のカットフィルタおよび接着剤層への湿気の侵入を抑制するので、接着剤層の吸水による膨潤で、接着力の低下や接合面の剥離が発生することはない。
請求項３または５に係る発明によれば、上記効果に加え、発生頻度の高い照射物からの有害な反射光をカットするので、平常状態の読み取り機能を維持することができる。請求項４に係る発明によれば、上記効果に加え、接着剤の硬化収縮率は１％以下であるため、カットフィルタなどの被着体の熱膨張係数の差が大きく、伸縮量に違いがある場合でも、自らが変形して各被着体の変形を抑制するので、光学素子の光学特性を低下させることはない。
請求項５に係る発明によれば、上記効果に加え、受光感度を損なうことがないので、光学素子の光学特性を充足させる。
請求項６、７に係る発明によれば、レーザ光を照射物に照射し、その反射光を受けて照射物から得られる信号、例えば、白黒パターンの符合コードなどの読み取りを受光感度良く行うことができる読み取り装置を提供できる。